(57)【特許請求の範囲】
【請求項１】
連繋索の一端と連結されるオス金具と、
前記連繋索の他端と連結されるコの字状板ばねと、
一端に前記オス金具が挿入されるオス金具挿入誘導口を、他端に前記コの字状板ばねが挿入される連結用ばね挿入誘導口をそれぞれ備え、これら両挿入誘導口同士が連通された、メス金具である連結具本体とを備え、
前記コの字状板ばねは、その両側面の先端部がそれぞれ内側に傾斜されるとともに、該両側面に止まり穴がそれぞれ設けられ、
前記連結具本体には、前記連結用ばね挿入誘導口の内側面に、前記コの字状板ばねの止まり穴と係合する一対のピンが設けられた
ことを特徴とする装身具用連結具。
【請求項２】
請求項１に記載の装身具用連結具において
前記オス金具と前記コの字状板ばねとは、前記連繋索の端にかしめ、又は結びによって連結される
ことを特徴とする装身具用連結具。
【発明の詳細な説明】
【技術分野】
【０００１】
本発明は、装身具用連結具に関する。
【背景技術】
【０００２】
従来のネックレス、ブレスレット等の紐状装身具は装飾部材として真珠、水晶、ダイヤモンド、半貴石、金属材料などがあり、それを通す連糸に代表されるものは、合成繊維糸、金属ワイヤ、テグス、ゴム、革紐等の材料を用いた装身具がほとんどで、その両端を連結するために各種の連結具が用いられている。その多くは特開２００１−３０９８０７号公報や特開２００３−１１６６０８号公報の様に連糸や連繋索部の両端と連結具部を結んだり、かしめたりすることで一体となりその連結具が付いた両端を連結させることで環状になり装身具として使用される。
【０００３】
しかし、連結具の不良があった場合や気に入った連結具と交換する場合にはそれを分離させなければならず、連結具から装飾部材を通した連糸や連繋索を切断したり、引き抜いたりなどをすることにより一度装身具を解体しなければならない。また、新たに連結具を付ける場合には装飾部材に新しい連糸や連繋索を通し直し、再度結んだり、かしめたりしなければならないという手間があり、元の形に付け直すことは時間がかかり困難である。
【先行技術文献】
【特許文献】
【０００４】
【特許文献１】特開２００１−３０９８０７号公報
【特許文献２】特開２００３−１１６６０８号公報
【発明の開示】
【発明が解決しようとする課題】
【０００５】
ネックレスやブレスレットに代表される紐状装身具に付いている連結具を交換する場合、連結具と連結している連糸や連繋索を切断し、真珠等の装飾部材を全部外して分解した後、再度新しい連糸や連繋索を通し直して連結具と結んだり又はかしめて固定しなければならないため簡単な作業ではない。元の同じ形状へ組み直す工程を省き連結具の交換作業を簡単にすることにある。
【課題を解決するための手段】
【０００６】
本発明に係る装身具用連結具は、連繋索の一端と連結されるオス金具と、前記連繋索の他端と連結されるコの字状板ばねと、一端に前記オス金具が挿入されるオス金具挿入誘導口を、他端に前記コの字状板ばねが挿入される連結用ばね挿入誘導口をそれぞれ備え、これら両挿入誘導口同士が連通された、メス金具である連結具本体とを備え、前記コの字状板ばねは、その両側面の先端部がそれぞれ内側に傾斜されるとともに、該両側面に止まり穴がそれぞれ設けられ、前記連結具本体には、前記連結用ばね挿入誘導口の内側面に、前記コの字状板ばねの止まり穴と係合する一対のピンが設けられたことを特徴とするものである。
【０００７】
上記の装身具用連結具において、前記オス金具と前記コの字状板ばねとは、前記連繋索の端にかしめ、又は結びによって連結されていてもよい。
【発明の効果】
【０００８】
本発明によれば、メス金具となる連結具本体の着脱作業が簡単に短時間で作業ができるようになった。また、連結具の連結部分が外部から見えないので外部からの力により容易に脱落することがなく、外観も良いことからコの字状連結ばねと連結用ばね挿入誘導口を共通仕様にすることで連結具本体の外観をいろいろなデザインにして、バリエーションを増やすことが可能である。
【０００９】
これにより連結具本体の選択肢が増えその場で使用者の所望する連結具に交換することができる。例えばネックレスの連結具本体の修理等の際にその場で交換することが可能で、例えば小売店舗から製造工程へ送る時間を省くことが出来る。また連結具が付いていない未完成の各種装飾部材を揃えておいて、その中から所望する装飾部材を選択したものに連結具を付けて完成品として渡すこともできる。
【発明を実施するための最良の形態】
【００１０】
以下、本発明の一実施形態について、本発明を真珠のネックレスの連結具に適用した場合を例に挙げて図面を参照して説明する。
【００１１】
図１は、本発明に係る装身具用連結具を使用した装身具の斜視図、図２は、連結具本体の分解斜視図、図３は、装身具用連結具の連結状態を示す断面図、図４は、連結具本体にコの字状板ばねが挿入される直前の状態を示す斜視図、図５は、連結具本体へのコの字状板ばねの挿入が完了した状態を示す斜視図、図６は、連結具本体にオス金具が挿入される直前の状態を示す斜視図、図７は、装身具用連結具の連結状態を示す斜視図、図８は、連結具本体にコの字状板ばねを挿入する直前の状態を示す一部破断斜視図、図９は、連結具本体にコの字状板ばねを挿入している途中の状態を示す一部破断斜視図、図１０は、連結具本体へのコの字状板ばねの挿入が完了した状態を示す一部破断斜視図、図１１は、連結具本体からコの字状板ばねを取り外す方法を説明する一部破断斜視図、図１２は、図１１に示す状態の次の状態を説明する一部破断斜視図、図１３は、図１２に示す状態の次の状態を説明する一部破断斜視図、図１４は、連結具本体からコの字状板ばねを取り外す際に用いる取外し用棒状治具の斜視図、図１５は、コの字状板ばねの正面図、平面図、右側面図および左側面図、図１６は、連結具本体のバリエーションを示す斜視図、図１７は、オス金具と連繋索とを連結した状態、及び、コの字状板ばねと連繋索とを連結した状態を示す断面図である。
【００１２】
本実施形態に係る真珠のネックレスの連結具は、図１に示すように、装飾材８としての真珠を数珠状に繋げている連繋索１０の一端と連結されるオス金具５と、連繋索１０の他端と連結されるコの字状板ばね６と、連結具本体１とを備えている。
【００１３】
オス金具５は、図６に示すように、砲弾形状の突出部５ｂとその後端に隣接して設けられた係合溝５ａを備え、係合溝５ａは後述する連結具本体１のフック部２ａと係合する。図３及び図１７に示すように、突出部５ｂにはかしめ材７が挿入されるかしめ材用穴５ｃが設けられ、かしめ材用穴５ｃが設けられた端面の反対側の端面には連繋索１０が通される連通孔５ｄが設けられている。連通孔５ｄに通された連繋索１０の一端がかしめ材７でかしめられることで、オス金具５と連繋索１０とが連結されている。
【００１４】
コの字状板ばね６は、コの字形状を呈した板ばねであり、図１５に示すように、両側面６ｄの先端部６ｂがそれぞれ内側に傾斜されている。両側面６ｄには止まり穴６ａがそれぞれ設けられており、両側面６ｄを連結している連結板６ｅには連繋索１０が通される連繋索用穴６ｃが設けられている。図１７に示すように、連繋索用穴６ｃに通された連繋索１０の一端がかしめ材７でかしめられることで、コの字状板ばね６と連繋索１０とが連結されている。コの字状板ばね６の材質は、ステンレス系合金、マンガン-ニッケル-コバルト合金等が良い。後述するように、オス金具挿入誘導口１ｂから挿入される取外し用棒状治具９に先端部６ｂが押されることで、両側面６ｄは内側へ屈曲される。
【００１５】
連繋索１０は合成繊維糸である。連繋索１０とオス金具５、また連繋索１０とコの字状板ばね６とは、それぞれ結ばれることによって連結されてもよい。
【００１６】
−連結具本体の構成−
連結具本体１は、図２に示すように、二つの半管状部材１ｅと、その上下に設けられるツマミ２と、コイルスプリング３と、ツマミ固定用芯４とを備えている。
【００１７】
半管状部材１ｅは、オス金具側端部１ｉから連結用ばね側端部１ｊまで延びる半管状の部材である。オス金具側端部１ｉの内側面は半円状であり、連結用ばね側端部１ｊの内側面は矩形状である。連結用ばね側端部１ｊの内側面にはピン１ｄが設けられている。半管状部材１ｅの軸方向の中央部付近には、上下にツマミ固定穴１ｆが設けられている。半管状部材１ｅの上縁及び下縁には、オス金具側端部１ｉから連結用ばね側端部１ｊに亘るツマミ用切り欠き１ｇが設けられている。ツマミ用切り欠き１ｇ内のオス金具側端部１ｉにはフック押えバー１ｈが設けられている。ツマミ用切り欠き１ｇ内の連結用ばね側端部１ｊにはばね係止バー１ｋが設けられている。
【００１８】
ツマミ２は、図３に示すように、一端に鉤型のフック部２ａ、他端にツマミ押し部２ｄを有し、中央部にはツマミ回転用穴２ｂが設けられている。ツマミ押し部２ｄには、コイルスプリング用穴２ｃが設けられている。ツマミ固定用芯４は、細長い円柱状の芯である。
【００１９】
−連結具本体の組み立て方法−
コイルスプリング３の一端をツマミ２のコイルスプリング用穴２ｃに挿入する。次に、各ツマミ２に挿入されたコイルスプリング３の他端をばね係止バー１ｋに載置する。そして、ツマミ回転用穴２ｂとツマミ固定穴１ｆとが重なり合うように、二つの半管状部材１ｅで上下にツマミ２を挟む。最後に、ツマミ回転用穴２ｂとツマミ固定穴１ｆとにツマミ固定用芯４を挿通する。
【００２０】
上記のように二つの半管状部材１ｅが接合され、接合されたオス金具側端部１ｉによってオス金具挿入誘導口１ｂが、接合された連結用ばね側端部１ｊによって連結用ばね挿入誘導口１ａが、それぞれ形成される。これらオス金具挿入誘導口１ｂと連結用ばね挿入誘導口１ａとは連通されている。
【００２１】
ツマミ２は、ツマミ固定用芯４を中心に回動される。コイルスプリング３によりツマミ押し部２ｄが外へ押し出される方向に付勢されるツマミ２は、フック部２ａがフック部押えバー１ｈに当接されることで制止される。この状態で、フック部２ａはオス金具挿入誘導口１ｂの内部へ突出している。
【００２２】
−連結具の連結方法−
図８に示すように、連繋索１０の他端と連結されたコの字状板ばね６を連結具本体１の連結用ばね挿入誘導口１ａに挿入する。このとき、図４に示すように、連結具本体１のツマミ２を縦方向に持ち、コの字状板ばね６の止まり穴６ａを横方向に向けた状態で、そのまま真っ直ぐ挿入する。このとき、図９に示すように、コの字状板ばね６の先端部６ｂがピン１ｄに押され両側面６ｄが内側に屈曲される。その後、止まり穴６ａがピン１ｄの位置にまで達すると、図１０に示すように、屈曲されていたコの字状板ばね６がばねの弾性によって復元し、止まり穴６ａとピン１ｄとが係合する。このとき、カチッという音により係合を確認する。
【００２３】
この係合部分は、図５に示すように、外側に露出していない。したがって、外部から加わる力でこの係合が外れる虞はない。
【００２４】
次に、連繋索１０の一端と連結されたオス金具５の突出部５ｂを連結具本体１のオス金具挿入誘導口１ｂに挿入し、係合溝５ａとフック部２ａとを係合させる（図６参照）。このとき、カチッという音により係合を確認する。
【００２５】
これにより、図３及び図７に示すように、オス金具５、連結具本体１及びコの字状板ばね６の３者が連結され、装身具が図１に示すような環状になる。
【００２６】
−連結具の分離方法−
まず、図１、図７に示す環状の装身具のオス金具５と連結具本体１とを分離する。連結部本体１のツマミ押し部２ｄを押し、ツマミ固定用芯４を中心にツマミ２を回転させ、フック部２ａを開く。この状態でオス金具５を引き抜き、オス金具５と連結具本体１とを分離する。
【００２７】
次に、コの字状板ばね６と連結具本体１とを分離する。この分離には、取外し用棒状治具９を用いる。
【００２８】
取外し用棒状治具９は、図１４に示すように、棒状の治具であって、二つに割れた先割れ部９ａを先端に備えている。
【００２９】
図１１に示すように、オス金具挿入誘導口１ｂから取外し用棒状治具９を差込み、先割れ部９ａをコの字状板ばね６の先端部６ｂに当接させる。そして、図１２に示すように、取外し用棒状治具９を押し込む。このとき、先割れ部９ａに押されたコの字状板ばね６の両側面６ｄは内側に屈曲され、ピン１ｄと止まり穴６ａとの係合が外れる。この状態で、連結具本体１からコの字状板ばね６を引き抜き、コの字状板ばね６と連結具本体１とを分離する（図１３参照）。
【００３０】
上記のような方法により、連結具本体１の取替え作業が簡単に短時間でできる。また、本発明の装身具用連結具は、連結具本体１と金具５、６との係合部分が挿入誘導口１ｂ、１ａの内部であり外側に現れないため、外部から加わる力で分離、脱落する虞がなく、しかもデザイン面でも優れている。連結具本体１の連結用ばね挿入誘導口１ａとオス金具挿入誘導口１ｂとを共通の形状にすれば、連結具本体１として様々な形状、デザインのものが選択でき、連結具本体１のバリエーションを増やすことができる（図１６参照）。
【００３１】
これにより、顧客にとって連結具本体１の選択肢が増え、その上選んだその場で希望する連結具本体１に付け替えることもできる。他にも、ネックレスの連結具本体１を修理する際に、小売店舗で代替品と取り替えることが可能で、小売店舗から製造工場へ送る手間や時間を省くことができる。また、オス金具５とコの字状板ばね６とだけが装着された状態の装飾材８を陳列し、その中から選択された装飾材８に連結具本体１を装着し、完成品として販売することもできる。
【００３２】
連繋索１０は、合成繊維糸の他、ステンレスワイヤ、超弾性形状記憶合金ワイヤ、テグス、樹脂ワイヤ、ゴム紐、革紐などであってもよい。
【００３３】
装飾材８は、あこや真珠、黒蝶真珠、白蝶真珠、淡水真珠、マベ真珠、水晶などの宝石や、キュービックジルコニア、クリスタルガラス、金属などであってもよい。
【００３４】
さらに、紐状装身具は、ネックレスに限られず、ブレスレット、ペンダントチェーン、数珠、アンクレット、ストラップなどであってもよい。
【産業上の利用可能性】
【００３５】
本発明は、ネックレス、ブレスレット、ペンダントチェーン、数珠、アンクレット、ストラップなどの装身具の連結具として利用される。
【図面の簡単な説明】
【００３６】
【図１】本発明に係る装身具用連結具を使用した装身具の斜視図である。
【図２】連結具本体の分解斜視図である。
【図３】装身具用連結具の連結状態を示す断面図である。
【図４】連結具本体にコの字状板ばねが挿入される直前の状態を示す斜視図である。
【図５】連結具本体へのコの字状板ばねの挿入が完了した状態を示す斜視図である。
【図６】連結具本体にオス金具が挿入される直前の状態を示す斜視図である。
【図７】装身具用連結具の連結状態を示す斜視図である。
【図８】連結具本体にコの字状板ばねを挿入する直前の状態を示す一部破断斜視図である。
【図９】連結具本体にコの字状板ばねを挿入している途中の状態を示す一部破断斜視図である。
【図１０】連結具本体へのコの字状板ばねの挿入が完了した状態を示す一部破断斜視図である。
【図１１】連結具本体からコの字状板ばねを取り外す方法を説明する一部破断斜視図である。
【図１２】図１１に示す状態の次の状態を説明する一部破断斜視図である。
【図１３】図１２に示す状態の次の状態を説明する一部破断斜視図である。
【図１４】連結具本体からコの字状板ばねを取り外す際に用いる取外し用棒状治具の斜視図である。
【図１５】コの字状板ばねの正面図、平面図、右側面図および左側面図である。
【図１６】連結具本体のバリエーションを示す斜視図である。
【図１７】オス金具と連繋索とを連結した状態、及び、コの字状板ばねと連繋索とを連結した状態を示す断面図である。
【符号の説明】
【００３７】
１    連結具本体
１ａ  連結用ばね挿入誘導口
１ｂ  オス金具挿入誘導口
１ｄ  ピン
５    オス金具
６    コの字状板ばね
６ａ  止まり穴
６ｂ  先端部
６ｄ  両側面
【図１】
0004975373.tif 000002
【図２】
0004975373.tif 000003
【図３】
0004975373.tif 000004
【図４】
0004975373.tif 000005
【図５】
0004975373.tif 000006
【図６】
0004975373.tif 000007
【図７】
0004975373.tif 000008
【図８】
0004975373.tif 000009
【図９】
0004975373.tif 000010
【図１０】
0004975373.tif 000011
【図１１】
0004975373.tif 000012
【図１２】
0004975373.tif 000013
【図１３】
0004975373.tif 000014
【図１４】
0004975373.tif 000015
【図１５】
0004975373.tif 000016
【図１６】
0004975373.tif 000017
【図１７】
0004975373.tif 000018